(57)【要約】【課題】梱包に必要な梱包紙材の量を低減することが可能であり、更に、梱包及び開梱の作業性が良い環形蛍光ランプの包含梱包用部材、包含梱包ユニットを提供する。【解決手段】環形蛍光ランプの包含梱包用部材１は、大径の環形蛍光ランプの中空部に小径の蛍光ランプが配置され、これらを載置・係止し、空箱に複数並列して収納するために使用される。環形蛍光ランプの包含梱包用部材１は、長手方向の一方の端部を切り欠いて設けられた係合溝１１と、長手方向に垂直の複数の内折れ線１３と、蛍光ランプの載置面で小径の蛍光ランプ２ｂの中空部に位置する係止部１４と、を有する。内折れ線１３で梱包紙１０が折曲されたとき、係止部１４は係合溝１１が設けられた梱包紙１０の端部を係止し、小径の蛍光ランプ２ｂは係合溝１１と載置面１０ａとの間に係合保持され、大径の蛍光ランプ２ａは載置面１０ａと折曲面１０ｂとの間に挟持される。【選択図】図１
2010132304.tif 000002
【特許請求の範囲】
【請求項１】
大径の環形蛍光ランプの中空部に小径の蛍光ランプが配置され、これらを載置・係止するために使用される環形蛍光ランプの包含梱包用部材であって、
長手方向の一方の端部に形成された係合溝と、
長手方向に垂直に設けられた複数の内折れ線と、
前記係合溝が設けられた端部を係止可能に設けられ、前記大径及び小径の蛍光ランプが載置されたときに、この載置面に前記小径の蛍光ランプの中空部に位置する係止部と、
を有し、
前記大径及び小径の蛍光ランプが載置され、前記内折れ線で折曲され、前記係合溝が設けられた端部が前記係止部に係止されたときに、前記係合溝と前記載置面との間に前記小径の蛍光ランプを係合保持し、前記折曲された面と前記載置面との間に前記大径の蛍光ランプを挟持することを特徴とする環形蛍光ランプの包含梱包用部材。
【請求項２】
前記載置面の長手方向は、前記大径の蛍光ランプの外径よりも長いことを特徴とする請求項１に記載の環形蛍光ランプの包含梱包用部材。
【請求項３】
前記係止部は、前記載置面を舌状に切り欠いて形成された係止片から構成され、この係止片が前記載置面との間に前記係合溝が設けられた端部を挟持することを特徴とする請求項１又は２に記載の環形蛍光ランプの包含梱包用部材。
【請求項４】
前記係止部は、前記載置面に形成された係止穴から構成され、前記係合溝間にこの係止穴に挿通する係止片が更に設けられていることを特徴とする請求項１又は２に記載の環形蛍光ランプの包含梱包用部材。
【請求項５】
前記係合溝が２箇所に設けられていることを特徴とする請求項１乃至４のいずれか１項に記載の環形蛍光ランプの包含梱包用部材。
【請求項６】
前記包含梱包用部材の幅は、前記大径の蛍光ランプの内径よりも小さく、
前記大径及び小径の蛍光ランプが載置され、前記内折れ線で折曲され、前記係合溝が設けられた端部を前記係止部に係止したときに、前記係合溝が設けられた端部は前記大径の蛍光ランプの中空部に位置することを特徴とする請求項１乃至５のいずれか１項に記載の環形蛍光ランプの包含梱包用部材。
【請求項７】
前記係合溝が４箇所に設けられ、
前記大径及び小径の蛍光ランプが載置され、前記内折れ線で折曲され、前記係合溝が設けられた端部を前記係止部に係止したときに、前記係合溝と前記載置面との間に前記大径の蛍光ランプを係合保持することを特徴とする請求項１乃至４のいずれか１項に記載の環形蛍光ランプの包含梱包用部材。
【請求項８】
請求項１乃至７のうちいずれか１項に記載の環形蛍光ランプの包含梱包用部材に、大径及び小径の環形蛍光ランプを載置・係止した包含梱包体を、前記載置面を同一の方向に向けて複数収容していることを特徴とする環形蛍光ランプの包含梱包ユニット。
【発明の詳細な説明】
【技術分野】
【０００１】
本発明は、大径の環形蛍光ランプの中空部に小径の蛍光ランプが配置され、これらを載置・係止するために使用される環形蛍光ランプの包含梱包用部材、及びこれを複数収容した包含梱包ユニットに関する。
【背景技術】
【０００２】
例えば３０型と４０型からなる１対の環形蛍光ランプは、簡易梱包されて移送される際、大径の環形蛍光ランプの中空部に小径の蛍光ランプが配置され、梱包紙にまとめて係止（包含梱包）されて１つの包含梱包体を構成する。包含梱包体は、１つずつ外装箱に収容される（特許文献１及び２）か、又は外装箱内に複数並列されて収容される（特許文献３）。
【０００３】
包含梱包は、大径及び小径の蛍光ランプがまとめて梱包されるため、蛍光ランプが個別包装される場合に比して、容積を小さくすることができ、保管・運搬の効率がよい。また、移送の際、梱包紙は複数の包含梱包体間で緩衝材として作用する。従って、衝撃等による蛍光ランプ破損の危険性を低減することができる。
【０００４】
【特許文献１】実開昭６３−３９７９号公報
【特許文献２】特開平１０−１８１７８４号公報
【特許文献３】特開２０００−７０７２号公報
【発明の開示】
【発明が解決しようとする課題】
【０００５】
しかしながら、前述の従来技術には以下のような問題点がある。
【０００６】
特許文献１に開示された環形蛍光ランプ用包装装置、及び特許文献２に開示された環状ランプの箱詰め用保持具は、蛍光ランプが１対ずつ外装箱内に収納される構成である。従って、梱包に必要な梱包紙材の量が多く、梱包材料費が高くなる。
【０００７】
また、特許文献３に開示された環形蛍光ランプ梱包装置は、蛍光ランプを１対ずつ収容する外装箱を必要としないが、包含梱包体を構成するための梱包紙の形状が複雑である。更に、特許文献３に開示された環形蛍光ランプ梱包装置は、小径の蛍光ランプを大径の蛍光ランプの中空部に配置し、小径の蛍光ランプの外面を梱包紙で包み込む構成であるため、１つの包含梱包体を構成するために要する時間が長い。更にまた、開梱時に包含梱包体を外装箱から一つ一つ取り出す必要があり、開梱にも時間がかかるという問題点がある。
【０００８】
本発明はかかる問題点に鑑みてなされたものであって、梱包に必要な梱包紙材の量を低減することが可能であり、更に、梱包及び開梱の作業性が良い環形蛍光ランプの包含梱包用部材、包含梱包ユニットを提供することを目的とする。
【課題を解決するための手段】
【０００９】
本発明に係る環形蛍光ランプの包含梱包用部材は、大径の環形蛍光ランプの中空部に小径の蛍光ランプが配置され、これらを載置・係止するために使用される環形蛍光ランプの包含梱包用部材であって、
長手方向の一方の端部に形成された係合溝と、
長手方向に垂直に設けられた複数の内折れ線と、
前記係合溝が設けられた端部を係止可能に設けられ、前記大径及び小径の蛍光ランプが載置されたときに、この載置面に前記小径の蛍光ランプの中空部に位置する係止部と、
を有し、
前記大径及び小径の蛍光ランプが載置され、前記内折れ線で折曲され、前記係合溝が設けられた端部が前記係止部に係止されたときに、前記係合溝と前記載置面との間に前記小径の蛍光ランプを係合保持し、前記折曲された面と前記載置面との間に前記大径の蛍光ランプを挟持することを特徴とする。
【００１０】
本発明に係る環形蛍光ランプの包含梱包ユニットは、環形蛍光ランプの包含梱包用部材に、大径及び小径の環形蛍光ランプを載置・係止した包含梱包体を、前記載置面を同一の方向に向けて複数収容していることを特徴とする。
【発明の効果】
【００１１】
本発明によれば、梱包に必要な梱包紙材の量を低減することが可能であり、梱包及び開梱の作業性を向上させることが可能である。
【発明を実施するための最良の形態】
【００１２】
以下、本発明の実施形態に係る環形蛍光ランプの包含梱包用部材について、添付の図面を参照して具体的に説明する。
【００１３】
図１（ａ）に示すように、本実施形態の環形蛍光ランプの包含梱包用部材１は、例えばダンボール紙等からなる梱包紙（包含紙）１０であり、全体として長片状である。この梱包紙１０の幅は、大径の蛍光ランプの内径よりも小さい。また、梱包紙１０は、環形蛍光ランプが載置される載置面１０ａ、及び梱包時に折曲される２つの折曲面（係止面）１０ｂを備えている。そして、この載置面１０ａの長手方向は、大径の蛍光ランプの外径よりも長い。環形蛍光ランプの包含梱包用部材１は、係合溝１１と、係止片１２と、内折れ線１３と、係止部１４とを備えている。
【００１４】
係合溝１１は、折曲面１０ｂで梱包紙１０の長手方向の一方の端部が矩形に切り欠かれて、２箇所に設けられている。この係合溝１１は、小径の蛍光ランプの管径よりも幅が大きく設けられている。
【００１５】
係止片１２は、梱包紙１０の端部の一部であり、上述の係合溝１１が形成されることによってこの係合溝１１間に形成された部分である。
【００１６】
内折れ線１３は、梱包紙１０の長手方向に垂直に２箇所設けられている。そして、梱包紙１０は、この内折れ線１３で折曲されることができる。
【００１７】
係止部１４は、梱包紙１０を舌状に切り欠いて形成された係止片である。図１（ｂ）に示すように、係止部１４は、大径及び小径の蛍光ランプ２（２ａ，２ｂ）が梱包紙１０に載置されたときに、小径の蛍光ランプ２ｂの中空部に位置する梱包紙の載置面１０ａに設けられている。また、係止部１４は折れ線１４ａに沿って折曲されることができる。そして、載置面１０ａに大径及び小径の蛍光ランプ２（２ａ，２ｂ）が載置され、内折れ線１３で梱包紙１０が折曲されると、舌状の係止部１４は、係合溝１１が設けられた梱包紙１０端部の係止片１２を載置面１０ａとの間に挟持して係止することができる。
【００１８】
次に、本実施形態の環形蛍光ランプの包含梱包用部材１を使用した包含梱包について説明する。
【００１９】
まず、包含梱包用部材１は、図２（ａ）に示す展開された状態から、図２（ｂ）に示すように、内折れ線１３で折曲される。そして、図２（ｃ）に示すように、梱包紙の載置面１０ａに大径の蛍光ランプ２ａが載置される。このとき、大径の蛍光ランプ２ａの片面は、載置面１０ａに当接している。
【００２０】
次に、大径の蛍光ランプ２ａの中空部に位置する梱包紙の載置面１０ａに、小径蛍光ランプ２ｂが載置される。従って、小径の蛍光ランプ２ｂの片面は、梱包紙の載置面１０ａに当接している。また、このとき、係止部１４は、図２（ｄ）に示すように、小径の蛍光ランプ２ｂの中空部に位置している。小径の蛍光ランプ２ｂが梱包紙の載置面１０ａに載置されると、梱包紙１０の端部は、図２（ｄ）に示す矢印の方向に折曲される。
【００２１】
そして、図２（ｅ）に示すように、係合溝１１が設けられた梱包紙１０の端部が載置面１０ａに当接するまで折曲されると、係合溝１１間に形成された係止片１２は舌状の係止部１４と載置面１０ａとの間に挟持されて係止される。このとき、小径の蛍光ランプ２ｂは係合溝１１と梱包紙の載置面１０ａとの間に係合保持される。また、前述の如く、梱包紙１０の幅は大径の蛍光ランプの内径よりも小さい。従って、大径の蛍光ランプ２ａは、２つの折曲面１０ｂと載置面１０ａとの間に挟持される。そして、１つの包含梱包体３が構成される。
【００２２】
以上のように構成された包含梱包体３は、図３（ａ）に示すように載置面を同一の方向に向けて複数並列される。そして、図３（ｂ）に示すように例えばダンボール紙等からなる外装箱４に収納・封緘され、１つの包含梱包ユニット５を構成する。
【００２３】
本実施形態の環形蛍光ランプの包含梱包用部材は、大径の蛍光ランプの内径よりも幅が小さい梱包紙から作製されることができる。また、包含梱包用部材の長さは、１枚の梱包紙が２回折曲されたときに、載置面の長手方向が大径の蛍光ランプの外径よりも長ければよい。従って、蛍光ランプの大きさによって適宜梱包に必要な梱包紙材の幅及び長さを選択すれば、梱包に必要な梱包紙材の量を低減することが可能である。
【００２４】
また、本実施形態の環形蛍光ランプの包含梱包用部材は、１枚の梱包紙の一方の端部を矩形に２箇所切り欠き、梱包紙の蛍光ランプ載置面を１箇所舌状に切り欠いて、２本の内折れ線を設けるだけで作製することが可能であり、構造が単純である。そして、梱包紙上に蛍光ランプを載置し、梱包紙を２回折曲し、梱包紙の端部を舌状の係止片と載置面との間に挟着するだけで１つの包含梱包体を構成することができる。従って、１つの包含梱包体を構成する作業が容易である。
【００２５】
また、複数の包含梱包体が１つの外装箱に収納されて、包含梱包ユニットを構成している場合においても、本実施形態の環形蛍光ランプの包含梱包用部材は、梱包紙の端部を舌状の係止部から外すだけで開梱することができる。更に、包含梱包体を外装箱から取り出すことなく開梱し、蛍光ランプを外装箱から取り出すことができる。従って、開梱の作業が容易である。
【００２６】
本発明の環形蛍光ランプの包含梱包用部材は、上述の形態に限られない。上述の実施形態では、内折れ線１３は２箇所設けられているが、３箇所以上設けられてもよく、大径の蛍光ランプ２ａが梱包紙１０の載置面１０ａと折曲面１０ｂとの間に挟持されればよい。この場合、図４に示すように、外装箱４に収容された複数の包含梱包体３は、載置面１０ａで隣接する包含梱包体３の折曲面１０ｂに接触することができる。また、包含梱包体３の折曲面１０ｂは、隣接する包含梱包体３の載置面１０ａに接触することができる。従って、外装箱４内で包含梱包用部材３同士が面接触し、外的衝撃が緩和されるため、包含梱包用部材３が緩衝材として更に効果的に作用する。
【００２７】
図５は、係止部１４として係止穴１４１が設けられ、更に梱包紙１０の端部の係合溝１１間にこの係止穴１４１に嵌挿される係止片１２が設けられた環形蛍光ランプの包含梱包用部材の変形例である。この場合、係止片１２を係止穴１４１に挿通するだけで梱包紙１０の端部が係止される。従って、包含梱包体３を構成する作業が更に容易になる。なお、上述の実施形態では、係止部１４は梱包紙１０の載置面１０ａに１箇所だけ設けられているが、蛍光ランプの係止を確実にするために、係止部１４は複数箇所に設けられてもよい。また、本変形例では、係止穴１４１、及び梱包紙１０の端部の係合溝１１間に設けられた係止片１２は夫々１箇所に設けられているが、夫々対応して複数箇所に設けられてもよい。
【００２８】
上述の実施形態では、矩形の係合溝１１が２箇所に設けられているが、半円、楕円等の形状に設けられてもよく、小径の蛍光ランプ２ｂが係合溝１１と載置面１０ａとの間に確実に係合保持される範囲において、種々の変形が可能である。また、係合溝１１が設けられる箇所は、２箇所に限られない。例えば、図６に示すように、係合溝１１は４箇所に設けられてもよく、小径の蛍光ランプ２ｂだけではなく大径の蛍光ランプ２ａも係合溝１１と載置面１０ａとの間に係合保持されるように構成してもよい。これにより、梱包に必要な梱包紙材の量は増えるが、大径の蛍光ランプ２ａが包含梱包用部材１に確実に保持されるようになる。
【図面の簡単な説明】
【００２９】
【図１】（ａ）、（ｂ）は、本実施形態の環形蛍光ランプの包含梱包用部材を示す図である。
【図２】（ａ）乃至（ｅ）は、本実施形態の環形蛍光ランプの包含梱包用部材及び環形蛍光ランプを示す図である。
【図３】（ａ）は、本実施形態の環形蛍光ランプの包含梱包用部材を使用した包含梱包、（ｂ）は、本実施形態の環形蛍光ランプの包含梱包ユニットを示す図である。
【図４】本発明の環形蛍光ランプの包含梱包用部材、及び包含梱包ユニットの変形例を示す断面図である。
【図５】本発明の環形蛍光ランプの包含梱包用部材の変形例を示す図である。
【図６】本発明の環形蛍光ランプの包含梱包用部材の変形例を示す図である。
【符号の説明】
【００３０】
１：包含梱包用部材
１０：梱包紙（包含紙）
１０ａ：載置面
１０ｂ：折曲面（係止面）
１１：係合溝
１２：係止片
１３：内折れ線
１４：係止部
１４ａ：折れ線
１４１係止穴
２ａ：大径の蛍光ランプ
２ｂ：小径の蛍光ランプ
３：包含梱包体
４：外装箱
５：包含梱包ユニット
【図１】
2010132304.tif 000003
【図２】
2010132304.tif 000004
【図３】
2010132304.tif 000005
【図４】
2010132304.tif 000006
【図５】
2010132304.tif 000007
【図６】
2010132304.tif 000008